(57)【特許請求の範囲】
【請求項１】
患者の身体に向けて流体を供給する温熱カバー部材であって、
圧力を加えられた流体を受け入れるための入口ポートを有する中空のハウジング部材と、
前記ハウジング部材の周囲に配置された複数のセルとを有し、
各々のセルは、密閉された形で前記ハウジングに接続された切れ目のない周辺部を有する膨張しない天蓋を有しており、前記ハウジング部材は各々セルに通じる複数の出口ポートから流体を放出して各セル内、各天蓋の下に流体用空間を形成すること、
を特徴とする温熱カバー部材。
【請求項２】
セル内の流体用空間は、患者の身体の解剖学的構造に適合するように寸法が決められること、
を特徴とする請求項１に記載の温熱カバー部材。
【請求項３】
前記カバー部材上に温度を示すための熱色差インジケータが設けられていること、
を特徴とする請求項１に記載の温熱カバー部材。
【請求項４】
前記熱色差インジケータは、熱色差素材で覆われた天蓋の一部分を含むこと、
を特徴とする請求項３に記載の温熱カバー部材。
【請求項５】
複数の熱色差インジケータが複数の天蓋上に配置され、対応する流体用空間について温度を示すこと、
を特徴とする請求項１に記載の温熱カバー部材。
【請求項６】
前記熱色差素材は、前記流体用空間が所定の温度に達した際に所望の温度レベルを示す指標を提供するように構成されていること
を特徴とする請求項３に記載の温熱カバー部材。
【請求項７】
前記セル天蓋の表面積の合計が、前記中空のハウジング部材および前記セル天蓋の合計面積の３０％を越える値であること、
を特徴とする請求項１に記載の温熱カバー部材。
【請求項８】
前記熱色差インジケータは、天蓋の一部分に、温度に応じて色を変える液晶材を保持させる構成を有すること、
を特徴とする請求項３に記載の温熱カバー部材。
【請求項９】
前記中空のハウジング部材はほぼ平坦であるが、圧力を加えられた流体を受け入れると直ちに膨張して、各セルに流体を供給するための流体用多岐管を形成すること、
を特徴とする請求項１に記載の温熱カバー部材。
【請求項１０】
前記中空のハウジング部材は、セル同士の間にある内部流体チャネルに比べて断面積が大きい周辺部流体チャネルを有すること、
を特徴とする請求項９に記載の温熱カバー部材。
【請求項１１】
前記中空のハウジング部材の全体にわたって最小でも１０個のセルが配置されていること、
を特徴とする請求項９に記載の温熱カバー部材。
【請求項１２】
各セルの天蓋の面積は最小でも４０平方インチであること、
を特徴とする請求項１１に記載の温熱カバー部材。
【請求項１３】
複数のセルは、前記カバー部材の一部分が患者の附属肢を横切って配置されるように配列されており、前記ハウジング部材において前記のように配列されたセルの間に位置する中間部は、サイズが小さくされているとともに前記附属肢に適応するよう構成されて、相対的な動きを最小限に抑えること、
を特徴とする請求項１に記載の温熱カバー部材。
【請求項１４】
天蓋の周辺部の周りを囲む囲み中空ハウジング部材は、流体を透過する性質があり、天蓋を含む面にほぼ平行な方向に流体を向けること、
を特徴とする請求項１に記載の温熱カバー部材。
【請求項１５】
前記中空のハウジング部材は第１のフレキシブル部材および、第１のフレキシブル部材に接続されて多岐管を形成する第２のフレキシブル部材から成り、前記第１のフレキシブル部材および前記第２のフレキシブル部材は膨張して、各天蓋の周りの周辺接続部および切れ目のないシーム接続部から外れた位置において、互いの間に間隔が開くこと、
を特徴とする請求項１に記載の温熱カバー部材。
【請求項１６】
前記天蓋は、前記第２のフレキシブル部材に重なる前記第１のフレキシブル部材によって形成されること、
を特徴とする請求項１５に記載の温熱カバー部材。
【請求項１７】
天蓋の周辺部を囲む中空のハウジング部材が複数のパーフォレーションを有すること
を特徴とする請求項１６に記載の温熱カバー部材。
【請求項１８】
１の天蓋の周辺部を囲む複数のパーフォレーションは、もう１つの天蓋の周辺部を囲む複数のパーフォレーションに比べてサイズがより大きい開口部を有すること、
を特徴とする請求項１７に記載の温熱カバー部材。
【請求項１９】
少なくとも１つの天蓋は開口部を有して、これに対応するセルの流体用空間から流体が放出されるようにすることで、当該セルに流れ込む流体の量を増加させること、
を特徴とする請求項１に記載の温熱カバー部材。
【請求項２０】
前記第１のフレキシブル部材および前記第２のフレキシブル部材は、少なくともプラスチックシートとプラスチックコーティングとの２枚量ね構造であり、前記２つのフレキシブル部材は熱接合されて、各天蓋の周りに切れ目のないシーム接合部を形成すること、
を特徴とする請求項１５に記載の温熱カバー部材。
【請求項２１】
少なくとも１つの天蓋は透明であり、当該天蓋の下の患者の身体が見えること、
を特徴とする請求項１に記載の温熱カバー部材。
【請求項２２】
患者の身体に接触して空気を送り届ける温熱カバー部材であって、
圧力を加えられた空気を受け入れるための入口ポートを有する中空のハウジング部材であって、前記ハウジング部材は周辺導管を有し、当該周辺導管の内側および間には複数の縦導管および横導管が延びている、というハウジング部材と、
前記ハウジング部材の周囲に一体化された形で配置され、導管の間に形成された複数のセルであって、各々のセルは、密閉された形で前記ハウジングに接続された切れ目のない周辺部を有する膨張しない天蓋を有している、という複数のセルと、を有し、
前記ハウジング部材は各々セルに通じる複数の出口ポートから空気を放出して各セル内、各天蓋の下に流体用空間を形成し、温熱カバー部材が患者の体を覆う形で当該患者の体に接触する状態に保持される形で、患者の体に空気を送るための個別の領域を形作ること、
を特徴とする温熱カバー部材。
【請求項２３】
前記天蓋の少なくとも１つに、温度を示すための熱色差インジケータが設けられていること、
を特徴とする請求項２２に記載の温熱カバー部材。
【請求項２４】
前記周辺導管の断面積は縦導管および横導管の断面積よりも大きくなっていること、
を特徴とする請求項２３に記載の温熱カバー部材。
【請求項２５】
１の天蓋の周辺部を囲む複数のパーフォレーションは、もう１つの天蓋の周辺部を囲む複数のパーフォレーションに比べてサイズがより大きい開口部を有すること、
を特徴とする請求項２４に記載の温熱カバー部材。
【請求項２６】
複数の熱色差インジケータが、複数の天蓋の個々に配置されており、各天蓋の下の対応する流体用空間に関する温度を示すこと、
を特徴とする請求項２２に記載の温熱カバー部材。
【請求項２７】
流体用空間への空気流量を変えることで各天蓋の下に別々の温度領域を設ける流量変更手段を更に有すること、
を特徴とする請求項２２に記載の温熱カバー部材。
【請求項２８】
前記流量変更手段は、１のセルに通じる複数の出口ポートの有する開口がもう１つのセルに通じる複数の出口ポートのサイズよりも大きくなっていること、
を特徴とする請求項２７に記載の温熱カバー部材。
【発明の詳細な説明】
【０００１】
【発明が属する技術分野】
本発明は、空気などの流体を患者の身体に供給する温熱カバー部材を対象とし、その中でも特に、患者の身体を覆う流体用空間を形成する複数のセルを備え、流体用空間の下の温度と患者の肌に表れる反応とを視覚的に監視できるようなものに関する。
【０００２】
【従来の技術】
ずっと以前から、人の身体に向けて流体を対流させながら供給することで、人の身体を温めたり冷やしたりすることの必要性が認識されている。様々な供給システムが実用化されており、その中には、圧力を加えて流体を供給する供給源に、多孔性のマットレスおよび膨張性のブランケットを接続する形のものがある。例えば、米国特許公報Ｎｏ.２,０９３,８３４には、複数の層が縫い合わされて形成された構造的素材が開示されている。これによれば、温度調整された空気がこれらの層を通って放散され人の体に接触することになる。また、当該文献では、ボディスーツの用例や、加熱および冷却された空気に圧力を加えて弾力性のあるエンクロージャに供給するという応用例についても述べられている。また、米国特許公報Ｎｏ.２,６０１,１８９では、プラスチック材を熱接着して形成される空気ベッドカバーについて述べられている。
【０００３】
さらに、米国特許公報Ｎｏ.３,７５７,３６６では、利用者の身体の下に置かれるクッション装置を介して加熱された空気が提供される場合が説明されている。また、米国特許公報Ｎｏ.３,７７８,８５１は、手術後の患者や重い火傷から回復中の患者を治療するのに用いることのできるマットレスの一例を示す。マットレスは、接合されたシームの連なりによって、周辺部の多岐管に接続されたリブ導管に分割される。リブ内のアパーチャーからは空気が放出され、リブおよび多岐管内には弾性気泡プラスチックの補助材が配置される。
【０００４】
米国特許公報Ｎｏ.３,８８１,４７７には、矩形の中空管状構造が開示されている。これは、患者の上に置かれて上下方向に空気の流れや空気のカーテンを供給し、外科の患者の身体の周囲に大気圧を上回る圧力の区域を形成する。そして、それによって、患者の身体は外気および空気中に浮かぶ異物の粒子から隔離される。
【０００５】
米国特許公報Ｎｏ.３,９０８,６５５には、患者の頭部と首とを囲む形の手術後冷却装置が開示されている。
以下に示す特許にも、様々な構成の温熱ブランケットを実現しようとする試みが示されている。すなわち、米国特許公報Ｎｏ.５,３２４,３２０、米国特許公報Ｎｏ.５,３００,１０２、米国特許公報Ｎｏ.４,５７２,１８８、米国特許公報Ｎｏ.４,７７７,８０２、米国特許公報Ｎｏ.５,３５０,４１７、米国特許公報Ｎｏ.５,１２５,２３８、米国特許公報Ｎｏ.５,４０５,２７１などである。
【０００６】
また、医学の専門家が、以前から、手術後の患者の多くに現れる術後の体温低下という問題を認識している。
【０００７】
【発明が解決しようとする課題】
しかしながら、この分野では、今なお、こうした問題に対応できることに加えて、患者の身体に供給される流体の温度を監視できるような、比較的安価で使い捨て可能な装置の改良の努力が続けられている。
本発明は上記課題に鑑み、患者の体温調整に用いられる温熱カバー部材であって、患者の身体の部分ごとに、あるいは患者の身体の特徴に応じた体温調節が実現でき、また、流体の温度や流体が患者の体に及ぼす効果／影響を視覚的に確認できるようなものを提供することを目的とする。
【０００８】
【課題を解決するための手段】
上記の目的を達成するために、本発明の温熱カバー部材は、患者の身体に向けて流体を供給する温熱カバー部材であって、圧力を加えられた流体を受け入れるための入口ポートを有する中空のハウジング部材と、前記ハウジング部材の周囲に配置された複数のセルとを有し、各々のセルは、密閉された形で前記ハウジングに接続された切れ目のない周辺部を有する膨張しない天蓋を有しており、前記ハウジング部材は各々セルに通じる複数の出口ポートから流体を放出して各セル内、各天蓋の下に流体用空間を形成すること、を特徴とする。
【０００９】
また、セル内の流体用空間は、患者の身体の解剖学的構造に適合するように寸法が決められること、を特徴としてもよい。
そして、複数の熱色差インジケータが複数の天蓋上に配置され、対応する流体用空間について温度を示すこと、を特徴としてもよい。
【００１０】
【発明の実施の形態】
以下、本発明の温熱カバー部材に関する実施の形態を、図面を参照しながら説明する。
以下の記述は、あらゆる当業者が本発明を製造、使用することができるようにする目的で提供されるものであり、発明実行の様態として、発明者が熟考の結果最適と判断したものについて解説してある。しかしながら、ここでは、本発明の基本的な原理を、特に患者の身体の特定部位に対する流体の供給を制御する温熱カバー部材を提供すること、と限定して説明しているので、当業者が読めば、様々な変形が可能であることは容易に見て取れるであろう。
【００１１】
図１に示すのは、本発明の温熱カバー部材２が、手術後の患者の身体を覆っている状態である。カバー部材２は、フレキシブル導管６でカバー部材２に接続された空気加熱器４から供給される加熱空気などの流体による圧力を受けて膨張した状態で図示されている。空気加熱器としては、米国特許公報Ｎｏ.５,７８５,７２３に開示されたものなどを使用することができる。図示しているのは空気加熱器４であるが、他の流体（例えば、火傷患者に使われる酸素の豊富なガス）の供給源として、空気冷却器、および／または、本発明と同じカバー部材と共に患者の特殊な治療に使われる空気消毒装置を使うことも可能である。さらには、薬用の気化物質を流体に混ぜることも考えられる。患者に対し体温低下を防ぐための治療を施す際、温度範囲が３６〜４２℃の熱せられた空気の流れがカバー部材２に供給される。カバー部材２を膨らませる空気は、１分当たり６０立方フィートの送出レートで供給され、その圧力は、１.５センチ・水（centimeters of water）である。入口ポート１２を、従来の方法によって、フレキシブル導管６のノズルに取り外し可能な形で接続すれば、圧力を加えられた空気が供給される。
【００１２】
温熱カバー部材２は、中空のハウジング部材あるいは多岐導管８を有する。多岐導管８の一部分は、周辺部多岐導管１０として、中空のハウジング部材の周囲を取り巻くか、あるいは取り囲む。中間部多岐導管は、周辺部多岐導管１０の間を縦横に広がっており、患者の身体の上に温度域を規定するのに役立つ。
図１に示す実施の形態では、カバーフラップ１４が、温熱カバー部材２の下側の端から延びて、患者の足を覆っている。カバーフラップ１４は、温熱カバー部材２の膨らまない部分を延長したものとも言える。温熱カバー部材２の端の、患者の頭の近くのところには、適当な刻みを入れて、ここに患者の首と頭とが収まるようにしてある。
【００１３】
図１および３を見て分かる通り、ハウジング部材の全体に渡ってあちこちに、大きさの異なるセル１６が格子状に配置されている。セル１６は、各々が、膨張しない天蓋１８を有し、この天蓋は、ハウジング部材または多岐導管８と密閉した状態で接続される、切れ目のないシーム周辺部を備えている。個々の天蓋とこれに対応するセルとの構成および大きさについては、患者の身体の解剖学的特徴に合わせて、適当と思われるものに変更すればよい。例えば、女性の患者には乳房があるので、それに合わせてセルを配置し、熱せられた空気が患者の胸のところにある当該セルの天蓋の下の流体用空間に供給されるようにする。各セルの周辺部は、さらに多岐導管８の内壁によっても形作られるとともに、天蓋の下の流体用空間の各々に流体が放出されるように、流体を透過する性質を有する。図２および３に示すように、一連のパーフォレーションあるいは穴２０が、切れ目なくシーム密閉された周辺部２２を囲むこととしてもよい。穴は、内壁の底ではなく側面に設けられており、流体をほぼ並行な流れとして天蓋の方向に向かわせ、セルの中で交じり合わせる。穴を底でなく側面に設けることによって、穴が患者の身体に接触してふさがれてしまうことを防止できる。このようにすれば、背圧はより制御され、流体は均等に行き渡るであろう。
【００１４】
カバー部材はフレキシブル本体部材を有し、これは第１フレキシブル部材２４と第２フレキシブル部材２６から形成される。フレキシブル本体部材は、流体の圧力を受けない状態では、平らなシートが２枚重ねとなった形に似ている。第１のフレキシブル部材２４および第２のフレキシブル部材２６は、厚さ０.５ミルの低濃度ポリエチレンでコーティングされた、とじ合わせのポリプロピレンシートで作ることができる。このシートは耐水性であって、１平方ヤード当たりの重さはおよそ１オンスである。第１フレキシブル部材２４および第２フレキシブル部材２６はそれぞれ、ポリエチレンでコーティングされた方の面が、互いに重なるような位置に置かれ、製造過程においては、プラテン（図示せず）による熱が加えられて、中空のハウジング部材における外側の切れ目のない密閉シーム周辺部が規定され、また内部では、ハウジング部材全体に配置された大きさの異なる複数のセルについて切れ目のない密閉シーム周辺部が規定される。各セル１６が、熱接合された切れ目のない密閉周辺部シームを有することとなる。下側にある第２のフレキシブル部材２６のパーフォレーションは、図３に示すように、切れ目のない密閉シーム周辺部２２に隣接しており、圧力を加えられてセルに流れ込む流体が放出されるようにする。パーフォレーション２０のサイズ（もしパーフォレーションが円形であれば、直径）を変えることによって、セルに流れ込む流体の量を制御することができる。他の材料（紙やプラスチックなど）を用いて、別な形態とすることもできる。図６に示す本発明の１つの実施の形態では、プラスチック製の透明なシートを用いて、患者の皮膚の状態が観察できるようになっている。
【００１５】
図２に示すのは、ふくらまされた状態の温熱カバー部材２の断面図である。第１フレキシブル部材２４および第２フレキシブル部材２６はそれぞれ、圧力を加えられた流体によって膨張しており、その結果、周辺多岐導管１０および中央縦導管２８、３０も広げられている。各セル１６の頂上を形成する天蓋１８は膨張していないが、これは、各セル１６を取り巻く切れ目のない密閉周辺部２２によって天蓋１８は隔絶されているため、導管の間の位置では平坦あるいは比較的平らな状態のままになるからである。これらの天蓋１８が透明であれば、患者の身体の状態を目で見て監視し続けることも容易である。天蓋のために中間位置を設けることで、製造は容易になるが、しかし、流体用空間を所望の容積とすることで天蓋の位置を上げたり下げたりすることができる。個々のセル１６は、各セルの下の空洞に流体用空間を形成する。そして、流体用空間の境界は、密閉された切れ目のない接合周辺部２２、天蓋１８によって形成される。また、セル１６が中空ハウジング部材のマトリックスのどこに位置するかによって、流体用空間の境界は、周辺導管１０と縦導管とによって決まったり、１組の縦導管によって決まったりする。一方、セルの他の２つの面は、導管３４などの横導管によって形成される。縦導管、横導管、そして周辺導管が集合して多岐導管を形作り、これによって、各セル１６の周辺部全体に形成されたパーフォレーション２０の各々に対し流体が供給される。好適な実施の形態において、パーフォレーション２０は、各導管の中に置かれ、セルの密閉された切れ目のないシーム周辺部に隣接している。それによって、空気などの流体は、中に向かって天蓋１８の下面にほぼ平行に送り出される。図３に示すように、パーフォレーションは、流体用空間の一部を形成する導管の壁の四面全ての周りに延びている。なお、推察される通り、空洞空間に流体が適切に提供されるのであれば、４つの側面全てにパーフォレーションを設ける必要はない。また、図２を見て分かるように、３つの空洞空間の部分は患者の身体を横切るように置かれている。また、容易に理解できる通り、身体は多岐導管８の下側の面とだけ接触している。
【００１６】
図１に示す本発明の実施の形態で身体全体を覆う部材において、天蓋を含む多岐導管の全表面積は、例えば２,２６５平方インチとすることができ、一方、天蓋の表面積は８７２平方インチとなる。これらの面積の値は、カバーのうち膨らんでいない平らな部分１４を含んでいない。そのため、流体用空間の面積を規定する天蓋の面積は、表面積の３０%を超え、少くとも３８%の部分がその患者の身体を支えて流体を提供していることを示す。図１の実施の形態に示す天蓋が規定する１２の流体用空間の凡その表面積は、５０平方インチから１４４平方インチまでの間で変化する。
【００１７】
言うまでもなく、寸法については変更が可能であり、温熱カバー部材のサイズを変えることで、成人、子供、さらには幼児用と使い分けることもできる。例えば、他の実施の形態として、先ず患者の上半身および両腕だけを覆う、というものを考えることができる。さらに、公知の通り、粘着テープを使って患者の身体に固定することとしてもよい。
【００１８】
図３に示すように、天蓋１８に穴３２を設けてもよい。これは、温熱カバー部材の製造中、あるいはそれ以降に開けることとしてもよいが、特定のセルに流れ込む流体の量を増加するのを助け、それによって、流体用空間が流体流量を増大させ、結果として、患者の身体の所望の部分により多くの熱を送ることができる。圧力を加えられた流体は、パーフォレーションを通じてあるセルに届いた時点で、抵抗による背圧を受けることになる。そこで、開口部あるいは穴２２を天蓋に設けておくと、空気などの流体は流体用空間から放出されることになり、その結果、背圧は下がり、セルに流れ込む空気の流量は増加する。
【００１９】
図４は、図１に示す温熱カバー部材２の下平面図を示す。この温熱カバー部材２は、成人の全身を覆うためのブランケットであって、大きさはおよそ、縦８０インチ、横４０インチである。この寸法には、縦およそ１５インチのフラップカバー１４が含まれている。周辺導管１０は、集合して多岐導管８を形成している縦導管および横導管に比べサイズあるいは直径がいくぶん大きくなっている。図を見て分かる通り、熱密閉された切れ目のない周辺部シーム３６が、多岐導管８の外周辺部を規定している。格子状に並ぶセル１６は、内側に切れ目のない周辺部シームを有し、これが、膨張しない天蓋１８各々の外周辺部を規定している。
【００２０】
図５は、本発明に関する温熱カバー部材のもう一つの実施の形態を示す下平面図である。この実施の形態は、成人の上半身を覆うカバー部材３８であり、８つのセルは、腕を広げた患者の腕および胸を覆うように設計されている。この上半身用温熱カバー３８は、外周辺部切れ目のないシーム４０と一列に並べられたセル４２とを有し、各セルは内部に切れ目のない熱接合シーム４４を有する。各セルの周辺部の周りには、天蓋４８に隣接し、切れ目のないシームの下の位置に、適当にパーフォレーション４６が設けられている。さらに患者の附属肢の状態（この場合は、ひろげられた患者の両腕）に合わせて、各セルの間を延びる縦導管は、腕の解剖学的構造にさらに順応できる構成とする。そうして、図５に示すように、切れ目のない熱接合シーム４４は、凹形部分５０、５２を有することとしてもよく、これは、多岐管の位置を高くし、それによって、附属肢への対応がより容易になるようにするためのものである。推察される通り、温熱カバーの用途や患者の身体のどの部分に流体を供給するのかに応じて、セルの構成をさらに変形することも可能である。
【００２１】
図６に示す、本発明の変形例のカバー部材５４は、可視温度インジケータ５６を備えており、これは、中空のハウジング部材上に置かれて各セルの温度を示すものである。こうした熱色差インジケータ５６は、例えば天蓋に設置すればよく、また、材料として液晶ダイオード材料などの、温度感応性部材を含む。これは、色を変えることで、通常の使用環境の温度範囲において特定の温度を測定する能力がある。
【００２２】
その他に、インジケータの形成に用いられる熱色差材料については、印刷インキ、熱色差塗料、熱色差シートおよびカプセル化熱色差材料といったタイプの各種ポリマー合成物から選んでもよい。この種の熱色差材料に関する予備知識については、米国特許公報Ｎｏ.４,０２８,１１８を参照のこととする。基本的に、こうした熱色差材料に求められる条件は、毒性がないこと、温熱カバーの動作温度の範囲内のある特定の温度において、鋭い、可逆的なメタクロマジーを示すものであること、である。また、温度感応性の熱色差材料に隣接して目盛りや表示器を設け、目盛りによって特定の温度であることが分かるようにすることも可能である。例えば、目盛りまたは参照ストリップ５８は、色をコード化して温度目盛りを付けたものとし、天蓋上で熱色差インジケータ６０の隣に印刷することとしてもよい。熱色差インジケータ６０が感知した温度によって、これに応じた色の変化が生じると、監視者はこの色の変化を目盛り５８に照会して温度を知ることができる。
【００２３】
推察される通り、セルを形作る天蓋の各々にこのような受動的熱色差インジケータを設けることによって、監視役の医療要員は患者の身体の特定の部位に流れる熱量を知ることができる。なぜなら、セル内に形成された流体用空間に流れ込む流体はその天蓋の温度に影響を及ぼし、それによって、熱色差インジケータ５６の温度にも影響を与えるからである。さらに、図６に示すように、天蓋に開口部を設ける（例えば、医療要員が天蓋にポート３２を切り開く）ことで、特定のセルへの熱の流れが大きくなり、それをインジケータ６０によって監視することもできる。
【００２４】
最後に、図６に示すように、各セルの上にある天蓋は、透明にすることで身体を目で見て監視することが可能となる。この透明な天蓋を形成するには、上側のフレキシブル部材を透明なものにしておき、下側のフレキシブル部材を切り抜いてから両部材を熱接合処理すればよい。また、その他にも、上側、下側両方のフレキシブル部材を切り抜いた後、その穴を透明なプラスチックの天蓋で密閉することとしてもよい。
【００２５】
当業者には容易に理解できるであろうが、上述した好適な実施の形態については、本発明の範囲および思想から逸脱しない形で様々な改変や変形を施すことが可能である。したがって、添付の特許請求の範囲から外れることなく、特にここで説明したのとは異なる形で、本発明を実施することも可能であることは、言うまでもない。
【００２６】
【発明の効果】
以上の説明から明らかなように、本発明の温熱カバー部材は、加熱あるいは冷却された空気などの流体を患者の身体に向けて供給する温熱カバー部材を提供するものである。このカバー部材は、流体に圧力を加えて供給する供給源（加熱器など）に接続されるインレットを備えた中空のハウジング部材を有する。中空のハウジング部材は第１のフレキシブル部材および第２のフレキシブル部材を有する。これらはつなぎ合わされて多岐管を形成し、ハウジング部材の周りには複数のセルが配置されており、流体用の空間または区域を形成する。多岐管は、流体からの圧力を受けて膨張する。各セルは膨張しない天蓋を有し、この天蓋は、密閉された形でハウジング部材または多岐管に接続された切れ目のない周辺部を備える。ハウジング部材はセルに通じる複数の出口ポートを有し、出口ポートからは流体が放出される。これによって、各セルの天蓋の下に流体用空間が形成されて、それぞれの流体用空間に対応する患者の身体の一部が流体に浸され体温調整がなされる。
【００２７】
セルの寸法については調整可能とし、それによって、個々の患者の身長や性別などよる解剖学的な特徴に対応することができる。
また、上記の効果をえるためには、セルの周辺部側壁上の出口ポートは多岐管の一部を成し、放出される流体を流体用空間内に向けて送り出し、患者の身体に対して温度調整域を形成する。第１のフレキシブル部材および第２のフレキシブル部材は素材としてプラスチックを有し、熱接合で一つにされ、各天蓋の周りにはシーム密閉された切れ目のない接合部を形成する、という形が望ましい。
【００２８】
また、天蓋上には、各セルの流体用空間の温度を目に見える形で示す熱色差インジケータを設けることとしてもよく、および／または、透明な窓を設けて患者の肌を目で見て監視できるようにしてもよい。これによって、セル単位で流体温度および流体による身体への影響を視覚的に確認ができる。
また、好ましい形として、患者に対して流体を供給するカバー部材を、使い捨て可能のフレキシブルな本体部材とし、これが膨張することで患者に流体を供給するための多岐管が形成されるとしても効果的である。
【００２９】
そして、熱色差検知器をカバー部材に動作可能に接続することで、流体の温度を目に見える形で示すインジケータを設けることとしてもセル単位で流体温度および流体による身体への影響を視覚的に確認できるという効果が得られる。
【図面の簡単な説明】
【図１】  本発明の、患者に用いられる温熱カバー部材の斜視図である。
【図２】  図１に示す温熱カバー部材の概略断面図である。
【図３】  図１に示す温熱カバー部材の下側の部分斜視図である。
【図４】  図１に示す温熱カバーの、膨張していない平らな状態での下平面図である。
【図５】  他の実施の形態の、膨張していない平らな状態での下平面図である。
【図６】  熱色差インジケータおよび透明な窓を備える温熱カバー部材の部分斜視図である。
【符号の説明】
２  温熱カバー部材
８  多岐導管
１０  周辺部導管
１２  入口ポート
１６  セル
１８  天蓋
２８，３０  縦導管
３４  横導管
【図１】
0004173274.tif 000002
【図２】
0004173274.tif 000003
【図３】
0004173274.tif 000004
【図４】
0004173274.tif 000005
【図５】
0004173274.tif 000006
【図６】
0004173274.tif 000007